(57)【要約】【課題】車載電子機器に付属するデバイスを機能上最適な方向を指向するように配置した車載電子機器の保持具を提供する。【解決方法】車載電子機器の保持具１０は、保持部１１と、吸着装置１２と、それらを連結するフレキシブルシャフト１３とから構成されている。保持部には上面に車載電子機器を戴置する戴置台１４が形成されている。吸着装置は、伏椀形の硬質合成樹脂製のフレーム１５と、該フレーム下部に重ね合わされる軟質可撓合成樹脂製の吸着盤１６と、フレーム上部に設けられる負圧発生機構１７とからなる。可撓性金属からなるフレキシブルシャフトは、蛇腹状の合成樹脂製のカバー１８で被覆されている。フレームには、その下端の外周縁部に沿って下向きに嵌合凹部２１が形成される。該嵌合凹部には、ループアンテナ２８が嵌合されて、ワイヤーハーネス２９に接続され、フレキシブルシャフトに沿って保持部まで配線され、車載電子機器へ接続される。【選択図】図１
0003116201.tif 000002
【実用新案登録請求の範囲】
【請求項１】
車載電子機器を保持する保持部と、吸着盤と該吸着盤に負圧を発生させる負圧発生機構を備えた吸着装置とを、フレキシブルシャフトで連結した車載電子機器の保持具であって、前記吸着盤を吸着させる被吸着面と対向する前記吸着装置の所定部位に前記車載電子機器のデバイスを配設したことを特徴とする車載電子機器の保持具。
【請求項２】
前記吸着装置の前記デバイスが配設される所定部位が、前記吸着盤の外周縁部を取り囲むように構成されたことを特徴とする請求項１に記載の車載電子機器の保持具。
【請求項３】
前記デバイスがアンテナであることを特徴とする請求項１及び請求項２に記載の車載電子機器の保持具。
【請求項４】
前記デバイスが太陽電池であることを特徴とする請求項１及び請求項２に記載の車載電子機器の保持具。
【請求項５】
前記デバイスが光半導体素子であることを特徴とする請求項１及び請求項２に記載の車載電子機器の保持具。
【請求項６】
前記デバイスが撮像素子であることを特徴とする請求項１及び請求項２に記載の車載電子機器の保持具。
【考案の詳細な説明】
【技術分野】
【０００１】
本考案は、車載電子機器を保持する保持具に関し、特に吸着装置の吸着盤をフロントガラス等の被吸着面に吸着するようにしたものである。
【背景技術】
【０００２】
従来、車両に後付される車載電子機器は、吸着盤によってフロントガラス等の被吸着面へ着脱自在に固定するようにしている。このため、車載電子機器に付属するアンテナや光半導体素子或いは太陽電池等のデバイスが必ずしも機能上最適な方向を指向するとは限らない。
【特許文献１】引用なし
【考案の開示】
【考案が解決しようとする課題】
【０００３】
上記の車載電子機器に付属するデバイスは車体外方に向けて配置することにより送受信や受発光の反応性を高めることができる。また、太陽電池はできる限り長時間にわたって光が照射される場所に配置することが望ましい。
【０００４】
本考案は、上記の課題を鑑みてなされたものであって、車載電子機器に付属するデバイスを機能上最適な方向を指向するように配置した車載電子機器の保持具を提供することを目的とする。
【課題を解決するための手段】
【０００５】
上記の課題を解決するために請求項１に記載の車載電子機器の保持具は、車載電子機器を保持する保持部と、吸着盤と該吸着盤に負圧を発生させる負圧発生機構を備えた吸着装置とを、フレキシブルシャフトで連結した車載電子機器の保持具であって、前記吸着盤を吸着させる被吸着面と対向する前記吸着装置の所定部位に前記車載電子機器のデバイスを配設したことを特徴とする。
【０００６】
請求項２に記載の考案は請求項１に記載の考案において、前記吸着装置の前記デバイスが配設される所定部位が、前記吸着盤の外周縁部を取り囲むように構成されたことを特徴とする。
【０００７】
請求項３に記載の考案は請求項１及び請求項２に記載の考案において、前記デバイスがアンテナであることを特徴とする。
【０００８】
請求項４に記載の考案は請求項１及び請求項２に記載の考案において、前記デバイスが太陽電池であることを特徴とする。
【０００９】
請求項５に記載の考案は請求項１及び請求項２に記載の考案において、前記デバイスが光半導体素子であることを特徴とする。
【００１０】
請求項６に記載の考案は請求項１及び請求項２に記載の考案において、前記デバイスが撮像素子であることを特徴とする。
【考案の効果】
【００１１】
本考案の請求項１に記載の車載電子機器の保持具によれば、車載電子機器に付属するデバイスをフロントガラス等の被吸着面に対向する所定部位に配設した。そのためデバイスが吸着装置の吸着盤を吸着させるフロントガラスを介して機能上最適な車体外部を指向すると共に、該デバイスが吸着装置内に収納されて、外観意匠上の見栄えを良くすることができる。
【００１２】
請求項２に記載の車載電子機器の保持具は、車載電子機器に付属するデバイスが配設される吸着装置の所定部位が吸着盤の外周縁部よりも外側に位置するようにした。そのためデバイスは被吸着面に近接対向し、機能上最適な車体外部を指向することができる。
【００１３】
また、請求項３に記載の車載電子機器の保持具は、車載電子機器用のデバイスをアンテナとした。したがって、電波の送受信機能を向上することができる
【００１４】
そして、請求項４に記載の車載電子機器の保持具は、車載電子機器用のデバイスを太陽電池とした。フロントガラス等の被吸着面を通して太陽電池は常に車体外部を指向するから、長時間発電することができる。
【００１５】
さらに、請求項５に記載の車載電子機器の保持具は、車載電子機器用のデバイスを光半導体そしとした。該光半導体素子はフロントガラスを通して常に車体外部を指向するから、光に対する反応性を向上させることができると共に、ＬＥＤ等の発光体については車体外部からの視認性を向上させることができる。
【００１６】
加えて、請求項６に記載の車載電子機器の保持具は、車載電子機器用のデバイスを撮像素子とした。該撮像素子はフロントガラスを通して常に車体外部を指向するから、監視用等に用いることができる。
【実施例１】
【００１７】
本考案の実施例１に係る車載電子機器の保持具１０を、添付図面を参照して説明する。
図１は本考案の実施例１に係る車載電子機器の保持具１０の斜視図であり、図２にその吸着装置の底面図を示し、図３に図２のＡ−Ａ線から切断した拡大断面図を示す。
車載電子機器の保持具１０は、保持部１１と、吸着装置１２と、それらを連結するフレキシブルシャフト１３とから構成されている。
保持部１１には上面にレーダー装置、防犯装置、ＧＰＳアンテナ、ラジオ、テレビ等の車載電子機器を戴置する戴置台１４が形成されている。
吸着装置１２は、伏椀形の硬質合成樹脂製のフレーム１５と、該フレーム１５下部に重ね合わされる軟質可撓合成樹脂製の吸着盤１６と、フレーム１５上部に設けられる負圧発生機構１７とからなる。
保持部１１と吸着装置１２を連結する可撓性金属からなるフレキシブルシャフト１３は、蛇腹状の合成樹脂製のカバー１８で被覆されている。
【００１８】
吸着装置１２の上部に配設される負圧発生機構１７は、フレーム１５の中央部に立設された円筒状のアウターケース２２と、その内部に上下方向に移動可能に遊嵌されたインナーシャフト２４と、該インナーシャフト２４の略中間から半径方向に突出させ、その両端部をアウターケース２２に形成した上下方向のガイド孔２３に挿通した固着ピン２７と、該固着ピン２７に嵌めたカム２６と、該カム２６と一体成形された負圧発生レバー２５とから構成される。そして、インナーシャフト２４の下端を吸着盤１６の中央部に気密が保持されるように固着する。
【００１９】
吸着装置１２のフレーム１５は、その下端の外周縁部に沿って下向きに環状の嵌合凹部２１が形成される。
該嵌合凹部２１には、ループアンテナ２８が嵌合装着される。
そして、上記ループアンテナ２８の端部はワイヤーハーネス２９に接続され、該ワイヤーハーネス２９はインナーシャフト２４及びフレキシブルシャフト１３に沿って保持部１１まで配線され、固着される車載電子機器へ接続される。
【００２０】
上記構成の車載電子機器の保持具１０の固定方法を図４及び図５にしたがって説明する。
フロントガラス等の被吸着面３０に車載電子機器の保持具１０の吸着装置１２を押し付ける。そして、負圧発生レバー２５を下げると、カム２６がフレーム１５を押圧し、固着ピン２７がガイド孔２３に沿って上方に動き、連結するインナーシャフト２４を引き上げる。それに伴い吸着盤１６の中央部が上方へ引き上げられ、吸着盤１６の下端面と被吸着面３０とから形成される空間が負圧となり、吸着盤１６は被吸着面３０へ吸着される。
また、吸着装置１２を被吸着面３０から外す際には、負圧発生レバー２５を引き上げ、フレーム１５を押圧しているカム２６外す。そうすることにより吸着盤１６が下がる。そして、吸着盤１６の周縁部に形成した舌片２０を引き上げ、空気を流入させて吸着盤１６を被吸着面３０から外す。
【００２１】
上記実施例１に係る車載電子機器の保持具１０によれば、車載電子機器に付属するループアンテナ２８をフレーム１５の外周縁部に沿って下向きに設けた嵌合凹部２１に嵌合装着した。そのためループアンテナ２８が吸着装置１２の吸着盤１６を吸着させる被吸着面３０を介して機能上最適な車体外部を指向し、電波の送受信機能が向上すると共に、該ループアンテナ２８が吸着装置１２の嵌合凹部２１内に収納され、外観意匠上の見栄えが良くなる。
【実施例２】
【００２２】
本考案の実施例２に係る車載電子機器の保持具１０Ａは、実施例１と同様に保持部１１、フレキシブルシャフト１３及び負圧発生機構１７を備えている。そのため、図６に吸着装置１２ａのフレーム１５ａの底面図を示して説明する。
吸着装置１２ａのフレーム１５ａの内側には、同心円上に長方形状の嵌合凹部２１ａが複数個形成されている。さらに嵌合凹部２１ａよりもインナーシャフト２４側の同心円上に三角形状の嵌合凹部２１ｂが複数個形成されている。
フレーム１５ａの下部に重ね合わされる吸着盤１６は、透明で軟質可撓性の合成樹脂材から構成される。
【００２３】
上記の嵌合凹部２１ａ，２１ｂには、車載電子機器に付属するデバイスである太陽電池、若しくは発光ダイオード、フォトダイオード、フォトトランジスタ、フォトカプラ等の光半導体素子等が嵌合装着される。
そして、嵌合凹部２１ａ，２１ｂに嵌合された太陽電池、若しくは光半導体素子の端子は、ワイヤーハーネス２９へ接続され、該ワイヤーハーネス２９がインナーシャフト２４及びフレキシブルシャフト１３に沿って保持部１１にまで配線され、保持部１１で保持される車載電子機器へ接続される。
【００２４】
上記の車載電子機器の保持具１０Ａによれば、車載電子機器に付属するデバイスである太陽電池、若しくは光半導体素子をフレーム１５ａの内側に形成した嵌合凹部２１ａ，２１ｂに嵌合した。そのため太陽電池の場合は、吸着装置１２ａの吸着盤１６が透明であり、該吸着盤１６を吸着させるフロントガラス等の透明な被吸着面３０を介して太陽電池は機能上最適な車体外部を指向し、長時間発電することができる。そして、太陽電池が吸着装置１２ａの嵌合凹部２１ａ，２１ｂ内に収納されるので、外観意匠上の見栄えが良くなる。
また、光半導体素子の場合、上記と同様に吸着装置１２ａの吸着盤１６を吸着させる被吸着面３０を介して光半導体素子は機能上最適な車体外部を指向するようになる。そのためフォトダイオード等の受光素子であれば入射光に対する反応性が向上するようになり、ＬＥＤ等の発光素子であれば車体外部からの視認性が向上するようになる。
【００２５】
また、フレーム１５ａの内側の全面に太陽電池を貼着したり、若しくは、縦横にＬＥＤを複数個並設して文字、簡易図面等を表示させるようにしても良い。
【００２６】
さらに、フレーム１５ａの内側に撮像素子を配設し、監視カメラ等として用いても良い。
【実施例３】
【００２７】
図７は本考案の実施例３に係る車載電子機器の保持具１０Ｂの斜視図である。車載電子機器の保持具１０Ｂは、保持部３１と、吸着装置３２と、それらを連結するフレキシブルシャフト３３とから構成され、図８に図９のＢ−Ｂ線から切断した部分拡大断面図を示し、図９及び図１０にその吸着装置３２の吸着方法を示した説明図を示す。
保持部３１には、上部に取り外し自在な車載電子機器を係合するブラケット３４が固着されている。
吸着装置３２は、伏椀形の硬質合成樹脂製のフレーム３５と、該フレーム３５の下部に重ね合わされる軟質可撓合成樹脂製の吸着盤３６と、フレーム３５の上部に設けられる負圧発生機構３７とからなる。
保持部３１と吸着装置３２を連結する可撓性金属からなるフレキシブルシャフト３３は、蛇腹状の合成樹脂製のカバー３８で被覆されている。
【００２８】
吸着装置３２上部に配設される負圧発生機構３７は、図７から図１０に示すようにフレーム３５に立設された一対の支柱４３と、該支柱４３間に配設された回転カム４４と、回転カム４４の回転中心に上下動可能に遊嵌されたインナーシャフト４５とから構成される。
回転カム４４は、その内部に一対のカム斜面４６及び係止溝４７が対称となるようにそれぞれ設けられ、外側面には半径方向に突出する一対の負圧発生つまみ４８が設けられている。
インナーシャフト４５には、その略中間から半径方向に突出させ、その両端部を回転カム４４の斜面４６に当接させた係止ピン４９が挿通されている。
そして、インナーシャフト４５の下端を吸着盤３６の中央部に気密が保持されるように固着する。
【００２９】
吸着装置３２のフレーム３５の内側には、実施例１、或いは実施例２と同様に図２若しくは図６に示した嵌合凹部２１，２１ａ，２１ｂが形成され、車載電子機器に付属のデバイスであるループアンテナ２８、太陽電池、光半導体素子等が嵌合装着される。
【００３０】
上記構成の車載電子機器の保持具１０Ｂの吸着装置３２の吸着方法を、図９及び図１０にしたがって説明する。
フロントガラス等の被吸着面５０に車載電子機器の保持具１０Ｂの吸着装置３２を付勢し、回転カム４４に設けた負圧発生つまみ４８を回動すると、カム斜面４６上を係止ピン４９が上方に向かって摺動し、係止ピン４９が係止溝４７に嵌合する。それに伴ってインナーシャフト４５は引き上げられ、固定される。したがって吸着盤３６の下側面と被吸着面５０とから形成される空間に負圧が発生し、吸着盤３６が被吸着面５０に吸着される。
吸着装置３２を外す場合、上記と逆方向に負圧発生つまみ４８を回動する。そうすることによりインナーシャフト４５が下がり、固定されている吸着盤３６も下がるので、上記空間の負圧が無くなる。そして、舌片４０を引き上げ、空気を流入させて吸着盤３６を被吸着面５０から外す。
【実施例４】
【００３１】
本考案の実施例４に係る車載電子機器の保持具１０Ｃは、実施例１若しくは実施例３と同様に保持部１１，３１、フレキシブルシャフト１３，３３及び負圧発生機構１７，３７を備えている。そのため、図１１に該保持具１０Ｃのフレーム５１の吸着装置１２ｃの底面図を示して説明する。
上記吸着装置１２ｃの硬質合成樹脂製のフレーム５１は、該フレーム５１下部に重ね合わされる軟質可撓合成樹脂製の吸着盤５２の外周縁部を取り囲むようにして構成され、該フレーム５１の底面には、嵌合凹部５３ａ，５３ｂ，５３ｃが設けられ、ループアンテナ２８、太陽電池、光半導体素子等の車載電子機器に付属するデバイスがそれぞれ嵌合装着される。そして、該デバイスの端部はワイヤーハーネス２９に接続され、ワイヤーハーネス２９はインナーシャフト２４及びフレキシブルシャフト１３に沿って保持部１１にまで配線され、該保持部１１で保持される車載電子機器へ接続される。
【００３２】
また、フレーム５１の底面の全面に太陽電池を貼着したり、若しくは、縦横にＬＥＤを複数個並設して文字、簡易図面等を表示させるようにしても良い。
【００３３】
さらに、フレーム５１の内側に撮像素子を配設し、監視カメラ等として用いても良い。
【００３４】
以上の本考案において、フレームに配設する車載電子機器に付属するデバイスは、上記のループアンテナ２８、太陽電池若しくは光半導体素子に限定されず、コンデンサマイク等の集音器や、スピーカ等のデバイスを車載電子機器に合わせて配設することができる。また、嵌合凹部の形状は嵌合装着される車載電子機器に付属するデバイスの形状に合わせることもできる。
【図面の簡単な説明】
【００３５】
【図１】本考案の実施例１に係る車載電子機器の保持具を示す斜視図である。
【図２】本考案の実施例１に係る車載電子機器の保持具の吸着装置の底面図である。
【図３】図２のＡ−Ａ線から切断した吸着装置の部分拡大断面図である。
【図４】本考案の実施例１に係る車載電子機器の保持具の吸着装置の固定方法を示す説明図である。
【図５】本考案の実施例１に係る車載電子機器の保持具の吸着装置の固定方法を示す説明図である。
【図６】本考案の実施例２に係る車載電子機器の保持具の吸着装置の底面図である。
【図７】本考案の実施例３に係る車載電子機器の保持具を示す斜視図である。
【図８】図９のＢ−Ｂ線から切断した吸着装置の部分拡大断面図である。
【図９】本考案の実施例３に係る車載電子機器の保持具の脚部の固定方法を示すための側面図である。
【図１０】本考案の実施例３に係る車載電子機器の保持具の脚部の固定方法を示すための側面図である。
【図１１】実施例４に係る車載電子機器用筐体の吸着装置の底面図である。
【符号の説明】
【００３６】
１０…実施例１に係る車載電子機器の保持具、１０Ａ…実施例２に係る車載電子機器の保持具、１０Ｂ…実施例３に係る車載電子機器の保持具、１０Ｃ…実施例４に係る車載電子機器の保持具。
１１…保持部、１２，１２ａ…吸着装置、１３…フレキシブルシャフト、
１４…戴置台、
１５，１５ａ…フレーム、１６…吸着盤、１７…負圧発生機構、
１８…カバー、
２０…舌片、２１，２１ａ，２１ｂ…嵌合凹部、
２２…アウターケース、２３…ガイド孔、２４…インナーシャフト、２５…負圧発生レバー、２６…カム、２７…固着ピン、
２８…ループアンテナ、２９…ワイヤーハーネス、
３０…被吸着面。
３１…保持部、３２…吸着装置、３３…フレキシブルシャフト、
３４…ブラケット、
３５…フレーム、３６…吸着盤、３７…負圧発生機構、
３８…カバー、
４０…舌片、
４３…支柱、４４…回転カム、４５…インナーシャフト、４６…斜面、４７…係止溝、４８…負圧発生つまみ、４９…係止ピン。
５１…フレーム、５２…吸着盤、５３ａ，５３ｂ，５３ｃ…嵌合凹部。
【図１】
0003116201.tif 000003
【図２】
0003116201.tif 000004
【図３】
0003116201.tif 000005
【図４】
0003116201.tif 000006
【図５】
0003116201.tif 000007
【図６】
0003116201.tif 000008
【図７】
0003116201.tif 000009
【図８】
0003116201.tif 000010
【図９】
0003116201.tif 000011
【図１０】
0003116201.tif 000012
【図１１】
0003116201.tif 000013